(57)【要約】  【課題】撮像装置の前面に近接させて配置しても、シャッタ羽根によって撮像装置を傷付けないようにしたデジタルカメラ用フォーカルプレンシャッタを提供すること。  【解決手段】先羽根は、シャッタ地板１の軸１ｇ，１ｊに回転可能に取り付けられた二つのアーム１８，１９と、二つずつの連結軸を介してそれらに枢支された３枚の羽根２０〜２２で構成され、中間板４と、カメラ内において撮像装置の前面に配置される補助地板５との間において、アーム１８，１９を羽根２０〜２２よりも補助地板５側にして配置されている。また、アーム１９を反時計方向へ回転させるように付勢しているねじりコイルばね２３は、アーム１９に掛けているフックを有した腕に曲げ部が形成されていて、アーム１９を中間板４側にも付勢している。そのため、作動中に、羽根２０〜２２が撓み、連結軸の頭部が開口部５ａから撮像装置側に変位するのを抑制している。【選択図】  図１
2007148001.tif 000002
【特許請求の範囲】
【請求項１】
撮影光路用の開口部を有している第１地板と、撮影光路用の開口部を有していて前記第１地板との間に羽根室を構成しカメラ内においては前記第１地板よりも撮像装置側に配置される第２地板と、前記羽根室内で前記地板の一方に立設されている第１及び第２軸に対し夫々の一端を回転可能に取り付けている第１及び第２アームとそれらのアームの他端側でそれらの両者に枢支されている少なくとも１枚の羽根とで構成されており該アームを該羽根よりも前記第２地板側にして配置されているシャッタ羽根と、前記第２軸に巻回されていて一方の腕を前記第２軸を立設している前記地板の一方に掛け他方の腕の先端に設けられたフックを前記第２アームに掛けていると共に該他方の腕は所定の部位で所定の角度だけ前記第１地板側へ曲げられているねじりコイルばねと、駆動ピンを有していて前記地板のいずれか一方に取り付けられており往復回転時には該駆動ピンによって前記第１アームを往復回転させ前記羽根によって前記開口部を開閉させる駆動手段と、を備えていることを特徴とするデジタルカメラ用フォーカルプレンシャッタ。
【請求項２】
撮影光路用の開口部を有している中間板が前記第１地板と前記第２地板の間を仕切ることによってそれらの地板との間に二つの羽根室を構成しており、該中間板と前記第２地板との間に構成された羽根室には、前記シャッタ羽根が配置され、該中間板と前記第１地板との間に構成された羽根室には、前記地板の一方に立設されている二つの軸に対し夫々の一端を回転可能に取り付けている二つのアームとそれらのアームの他端側でそれらの両者に枢支されている少なくとも１枚の羽根とで構成されていて該アームを該羽根よりも前記第１地板側にした第２のシャッタ羽根が配置されており、さらに、駆動ピンを有していて前記地板のいずれか一方に取り付けられており往復回転時には該駆動ピンによって前記第２のシャッタ羽根のアームの一方を往復回転させ前記第２のシャッタ羽根の羽根によって前記開口部を開閉させる第２の駆動手段が備えられていることを特徴とする請求項１に記載のデジタルカメラ用フォーカルプレンシャッタ。
【発明の詳細な説明】
【技術分野】
【０００１】
本発明は、シャッタ羽根を一つ又は二つ備えたデジタルカメラ用のフォーカルプレンシャッタに関する。
【背景技術】
【０００２】
デジタルカメラ用のフォーカルプレンシャッタの中には、二つの地板の間に構成された羽根室内に、一方の地板に対して一端を枢着した二つのアームと、それらのアームに枢支された少なくとも１枚の羽根（通常３〜５枚）とで構成されたシャッタ羽根を、一つだけ配置しているものがある。また、古くから銀塩フィルムカメラには、二つの地板を中間板で仕切って二つの羽根室を構成し、先羽根及び後羽根などと称されている上記の構成をした二つのシャッタ羽根を、別々に配置するようにしたものが採用されたきたが、そのようなフォーカルプレンシャッタも、デジタルカメラに採用されることがある。そして、それらのフォーカルプレンシャッタにおいては、駆動部材の駆動ピンをシャッタ羽根のアームの一つに連結させていて、駆動部材を往復回転させることによって、羽根が撮影光路用の開口部を開閉するようにしている。
【０００３】
また、アームに対する羽根の枢支構成は、アームに形成された孔と羽根に形成された孔とを重ねておき、それらの孔に、リベット部品であって一端に頭部（直径の大きな鍔部）を有した連結軸をアーム側から挿入し、その先端をかしめ加工によって羽根に固定することにより、羽根がアームに対して回転可能となるようにしている。そのため、連結軸の頭部は、アームから比較的大きく突き出た構成になっている。そして、一つのシャッタ羽根を備えたフォーカルプレンシャッタの場合には、デジタルカメラ内において、アームが羽根よりも撮像装置側となるようにして配置することも、その逆となるように配置することも可能であるが、二つのシャッタ羽根を備えたフォーカルプレンシャッタの場合には、いずれのシャッタ羽根も、アームが、各々の羽根室を構成している方の地板側となるようにして配置されるのが普通であるため、撮像装置側の羽根室に配置される方のシャッタ羽根は、アームが羽根よりも撮像装置側となるようにして配置されることになる。
【０００４】
このように構成され且つ配置されるシャッタ羽根は、上記のように、通常は、複数枚の羽根を、各々、二つのアームに対して枢支しているが、そのうち、撮影にとって最も安定した作動を要求されるのは、アームの最先端に枢支されている羽根である。ところが、上記のように、複数枚の羽根は、いずれも二つのアームに対して枢支されているし、それらの二つのアームは、地板に対して回転可能に取り付けられている。また、アームの一つは、そこに設けられた孔を駆動部材の駆動ピンに嵌合させている。そして、当然のことながら、それらの沢山の取付部には、嵌合公差が設定されている。そのため、製作後においては、それらの嵌合公差の累積によって、どうしても構成部材間に無視できないガタツキが生じてしまい、カメラを構える姿勢などによって、アームの最先端に枢支されている羽根の作動開始位置が不安定になってしまう。そこで、従来は、そのような問題点を解消するために、下記の特許文献１にも記載されているように、ガタ寄せばねと称されているねじりコイルばねを、駆動ピンと連結していない方のアームに掛けるようにしている。
【０００５】
【特許文献１】特開２００１−２１９４６号公報
【発明の開示】
【発明が解決しようとする課題】
【０００６】
デジタルカメラに備えられている撮像装置は、周知のように、ＣＣＤ等の固体撮像素子の前面に、ローパスフィルタなどのフィルタ板や、透明な保護用のカバー板などを配置しているため、撮像装置を、銀塩フィルムカメラの場合におけるフィルム配置位置に配置すると、固体撮像素子の撮像面とシャッタ羽根の作動面との間隔が、銀塩フィルムカメラの場合におけるフィルム面とシャッタ羽根の作動面との間隔よりも、フィルタ板やカバー板の厚さ分だけ大きくなってしまう。そのため、デジタルカメラの場合には、銀塩フィルムカメラの場合におけるフィルム面位置よりも、撮像装置の前面を、シャッタ羽根の作動面に近づけて配置したいという要求がある。また、そのようにすることによって、カメラのコンパクト化にも寄与することが可能になる。
【０００７】
ところが、シャッタ羽根は、上記のような構成をしていて、撮影時に撮影光路用の開口部内を高速で走行しているときや、その停止時にストッパに当接したときには、周知のように、アームや羽根が、走行方向とは直交する方向へ撓まされるため、撮像装置を接近して配置した場合には、撮像装置の前面を傷付けてしまうことになる。そして、特に問題になるのは、シャッタ羽根を、羽根よりもアームを撮像装置側にして配置している場合である。即ち、そのように配置した場合には、羽根を枢支するために用いられている連結軸の頭部が撮像装置側に突き出ているため、その連結軸の頭部が、撮影光路用の開口部内に臨んでいるときには、アームや羽根の撓みによって、撮像装置の前面に接触し易くなるからである。また、アームは、通常、撮像装置側の地板ではなく、撮影レンズ側となる地板の軸に取り付けられていて、上記のガタ寄せばねは、その地板とアームとの間において、その軸に巻回されている。そして、そのガタ寄せばねは、通常のねじりコイルばねであるため、アームが撓んだとき、連結軸の頭部が撮像装置の前面に接触し易くなっている。
【０００８】
本発明は、このような問題点を解決するためになされたものであり、その目的とするところは、羽根よりもアームを撮像装置側にしたシャッタ羽根を、撮像装置の前面に近接させて配置するようにしても、シャッタ羽根によって撮像装置を傷付けるおそれがないようにした、実用性に優れたデジタルカメラ用フォーカルプレンシャッタを提供することである。
【課題を解決するための手段】
【０００９】
上記の目的を達成するために、本発明のデジタルカメラ用フォーカルプレンシャッタは、撮影光路用の開口部を有している第１地板と、撮影光路用の開口部を有していて前記第１地板との間に羽根室を構成しカメラ内においては前記第１地板よりも撮像装置側に配置される第２地板と、前記羽根室内で前記地板の一方に立設されている第１及び第２軸に対し夫々の一端を回転可能に取り付けている第１及び第２アームとそれらのアームの他端側でそれらの両者に枢支されている少なくとも１枚の羽根とで構成されており該アームを該羽根よりも前記第２地板側にして配置されているシャッタ羽根と、前記第２軸に巻回されていて一方の腕を前記第２軸を立設している前記地板の一方に掛け他方の腕の先端に設けられたフックを前記第２アームに掛けていると共に該他方の腕は所定の部位で所定の角度だけ前記第１地板側へ曲げられているねじりコイルばねと、駆動ピンを有していて前記地板のいずれか一方に取り付けられており往復回転時には該駆動ピンによって前記第１アームを往復回転させ前記羽根によって前記開口部を開閉させる駆動手段と、を備えているようにする。
【００１０】
また、撮影光路用の開口部を有している中間板が前記第１地板と前記第２地板の間を仕切ることによってそれらの地板との間に二つの羽根室を構成しており、該中間板と前記第２地板との間に構成された羽根室には、前記シャッタ羽根が配置され、該中間板と前記第１地板との間に構成された羽根室には、前記地板の一方に立設されている二つの軸に対し夫々の一端を回転可能に取り付けている二つのアームとそれらのアームの他端側でそれらの両者に枢支されている少なくとも１枚の羽根とで構成されていて該アームを該羽根よりも前記第１地板側にした第２のシャッタ羽根が配置されており、さらに、駆動ピンを有していて前記地板のいずれか一方に取り付けられており往復回転時には該駆動ピンによって前記第２のシャッタ羽根のアームの一方を往復回転させ前記第２のシャッタ羽根の羽根によって前記開口部を開閉させる第２の駆動手段が備えられているようにしてもよい。
【発明の効果】
【００１１】
本発明のフォーカルプレンシャッタによれば、アームを羽根よりも撮像装置側にしているシャッタ羽根を、撮像装置の前面に接近して配置しても、駆動手段の駆動ピンに連結されていない方のアームに掛けられいるねじりコイルばねが、該アームを回転方向へ付勢しているだけではなく、撮像装置から離れる方向へも付勢しているため、羽根を枢支するために設けられた連結軸の頭部が、アームが撓んだときに、撮像装置の前面を傷付けてしまうことがないという効果を有している。
【発明を実施するための最良の形態】
【００１２】
本発明の実施の形態を、図示した実施例によって説明する。尚、実施例は、先羽根と後羽根との二つのシャッタ羽根を備えていて、先羽根を後羽根よりも撮像装置側に配置したデジタルカメラ用のフォーカルプレンシャッタである。しかしながら、二つのシャッタ羽根を備えたデジタルカメラ用フォーカルプレンシャッタの中には、後羽根を先羽根よりも撮像装置側に配置したものもある。また、デジタルカメラ用フォーカルプレンシャッタの中には、上記したように、シャッタ羽根を一つだけ備えたものもある。本発明は、羽根室におけるシャッタ羽根の配置次第では、それらのフォーカルプレンシャッタにも適用することが可能なものである。
【実施例】
【００１３】
本実施例を図１〜図３を用いて説明するが、図１は、撮像装置側から見て露光作動の終了した状態を示した平面図であり、図２は、実施例の要部だけを、図１の右側から見て示した断面図であり、図３は、図１と同様に、撮像装置側から見てセット状態（撮影待機状態）を示した平面図であるが、後述する補助地板を取り外した状態で示してある。
【００１４】
先ず、本実施例の構成を説明する。図１に示されているように、シャッタ地板１は、本発明の第１地板に相当する部材であって、略中央部に長方形を横長にした開口部１ａを形成している。また、その開口部１ａの右側の領域には円弧状をした二つの長孔１ｂ，１ｃを形成しており、外周縁には三つの切欠き状の係合部１ｄ，１ｅ，１ｆを形成している。そして、長孔１ｂ，１ｃの下端には、ゴム製であってＣ字状をした周知の緩衝部材２，３が取り付けられている。
【００１５】
シャッタ地板１には、その撮像装置側に所定の間隔を空けて、中間板４と補助地板５が順に取り付けられ、シャッタ地板１と中間板４の間に、後述する後羽根の羽根室を構成し、中間板４と補助地板５との間に、後述する先羽根の羽根室を構成している。そのうち、中間板４は、図２から分かるように、非常に薄い材料で製作されており、図１に示されているように、開口部１ａと重なるようにして開口部４ａを形成しているが、その開口部４ａは、上辺と下辺に相当する辺が山形になっていて、開口部１ａよりも若干大きくなっている。
【００１６】
補助地板５は、本発明の第２地板に相当する部材であって、シャッタ地板１に準じた外形をしているが、図１においては、他の構成部材を分かり易くするために、その一部だけしか示されていない。そして、この補助地板５には、開口部１ａと重なるようにして開口部５ａを形成しているが、その開口部５ａは開口部１ａと同じ大きさであって、開口部１ａと共に撮影光路を規制する開口部となっている。そして、下記の作動説明においては、そのように撮影光路を規制する開口部のことを露光開口ということにする。また、この補助地板５には、上記の長孔１ｂ，１ｃと重なるようにして、同じ形状の長孔が形成されているが、それらのうち、長孔１ｂと重なる長孔５ｂだけが、図２の断面図に示されている。
【００１７】
また、補助地板５には、開口部５ａの下方端位置に、直方体をしたゴム製の二つの緩衝部材６，７が取り付けられているが、図１及び図３においては、それらを二点鎖線で示してある。更に、カメラ内においては、図２にブロックで示したように、補助地板５に密接させて複数のカメラ本体側の部品８が配置されるようになる。撮像装置もそれらのうちの一つであるが、図２において簡略的に示したように、本実施例の撮像装置９は、固体撮像素子９ａと、その前面に取り付けたローパスフィルタ９ｂを有していて、そのローパスフィルタ９ｂの一部を、開口部１ａの縁の全周にわたって形成された肉薄部５ｃに埋設させ、撮像面を、後述の先羽根の作動面に近接させるようにしている。
【００１８】
図１に示されているように、シャッタ地板１には、軸１ｇ，１ｈ，１ｉ，１ｊ，１ｋ,１ｍが立設されている。それらのうち、軸１ｇ，１ｈは、図２に示されている軸１ｇから分かるように、被写体側と撮像装置側の両方にわたって立設されており、軸１ｉは、被写体側に立設されており、軸１ｊ，１ｋ，１ｍは、撮像装置側に立設されている。また、シャッタ地板１の撮像装置側には、二つのばね掛け部１ｎ，１ｐも設けられている。それらのうち、軸１ｍは、その周囲に環状をしたゴム製の緩衝部材１０を取り付けており、その先端には、ねじ穴が形成されている。そして、上記の補助地板５は、図示していない三つのフック部を、上記の三つの係合部１ｄ，１ｅ，１ｆに掛け、このねじ穴にねじ止めされている。
【００１９】
また、シャッタ地板１の被写体側には、図２に示されている支持板１１が、軸１ｇ，１ｈ，１ｉの先端に支持され、図示していない周知の手段によってシャッタ地板１に取り付けられている。そして、この支持板１１は、シャッタ地板１側に、周知であるため図示していない先羽根用電磁石と後羽根用電磁石を取り付けている。尚、本実施例のフォーカルプレンシャッタは、このように、電磁石などを取り付けているシャッタ地板１を被写体側にし、補助地板５を撮像装置側にして配置されているが、カメラの仕様によっては、シャッタ地板１を撮像装置側にし、補助地板５を被写体側にして配置することも可能である。従って、そのように配置された場合には、補助地板５が、本発明の第１地板に相当する部材になり、シャッタ地板１が、本発明の第２地板に相当する部材になる。
【００２０】
シャッタ地板１の被写体側において、軸１ｇには、先羽根用駆動部材１２が回転可能に取り付けられており、先羽根用駆動ばね１３（図２参照）によって、図１において反時計方向へ回転するように付勢されている。そして、この先羽根用駆動部材１２は、周知のように、被押動部１２ａと、駆動ピン１２ｂと、取付部１２ｃと、ばね掛け部１２ｄ（図２参照）を有している。そのうち、駆動ピン１２ｂは、シャッタ地板１の長孔１ｂから羽根室内に挿入され、その先端を、補助地板５の長孔５ｂに挿入しているが、根元部の断面形状は円形に、先端部の断面形状は小判型に形成されていて、その根元部が上記の緩衝部材２に当接するようになっている。また、取付部１２ｃには、図２においてだけ図示している周知の鉄片部材１４が取り付けられていて、上記の先羽根用電磁石の鉄芯部材に吸着保持され得るようになっている。
【００２１】
シャッタ地板１の被写体側において、軸１ｇの先端側には、ラチェット部材１５が回転可能に取り付けられている。このラチェット部材１５は、周知のように、円形をした外周面にラチェット歯１５ａとスリット１５ｂが形成されており、そのラチェット歯１５ａには、上記の支持板１１に設けられた図示していないラチェット爪が係合している。そして、上記の先羽根用駆動ばね１３は、その一端を先羽根用駆動部材１２のばね掛け部１２ｄに掛け、その他端をスリット１５ｂに掛けているので、ラチェット部材１５を回転させ、ラチェット爪に対するラチェット歯１５ａの係合位置を変えることによって、製作時に、その付勢力を調整できるようになっている。
【００２２】
シャッタ地板１の被写体側において、軸１ｈには、後羽根用駆動部材１６が回転可能に取り付けられており、図示していない後羽根用駆動ばねによって、図１において反時計方向へ回転するように付勢されている。そして、この後羽根用駆動部材１６は、先羽根用駆動部材１２の場合と同様に、被押動部１６ａと、駆動ピン１６ｂと、取付部１６ｃのほか、ばね掛け部を有しているが、そのばね掛け部の図示は省略されている。そして、駆動ピン１６ｂは、シャッタ地板１の長孔１ｃから羽根室内に挿入され、その先端を、補助地板５の図示していない長孔に挿入している。また、この駆動ピン１６ｂの断面形状は、根元部が円形であって、先端部が小判型になっていて、その根元部が上記の緩衝部材３に当接するようになっている。更に、取付部１６ｃには、上記の鉄片部材１４と同様な鉄片部材が取り付けられていて、後羽根用電磁石の鉄芯部材に吸着保持され得るようになっているが、その鉄片部材の図示は省略されている。
【００２３】
また、シャッタ地板１の被写体側において、軸１ｈの先端側には、上記のラチェット部材１５と同じラチェット部材が回転可能に取り付けられていて、その外周面に形成されているラチェット歯には、上記の支持板１１に設けられた図示していないラチェット爪が係合している。そして、図示していない後羽根用駆動ばねは、上記の先羽根用駆動ばね１３と同様にして、その一端を後羽根用駆動部材の図示していないばね掛け部に掛け、その他端をそのラチェット部材のスリットに掛けていて、製作時に、ラチェット部材を回転させ、ラチェット爪に対するラチェット歯の係合位置を変えることによって、付勢力を調整できるようになっている。
【００２４】
シャッタ地板１の軸１ｉには、セット部材１７が回転可能に取り付けられている。このセット部材１７は、二つの押動部１７ａ，１７ｂと一つの被押動部１７ｃを有していて、図示していないばねによって時計方向へ回転するように付勢されているが、図１は、その時計方向の回転を、シャッタ地板１に設けられた図示していないストッパによって阻止され、停止している状態を示している。以後、セット部材１７については、この位置を初期位置ということにする。
【００２５】
中間板４と補助地板５との間に構成された羽根室には、二つのアーム１８，１９と、３枚の羽根２０，２１，２２とで構成された先羽根が配置されている。そして、それらのうち、アーム１８，１９は、それらの長手方向の一端を、上記の軸１ｇ，１ｊに回転可能に取り付けられており、アーム１９に形成された孔には、上記の駆動ピン１２ｂの先端部が嵌合している。また、軸１ｊには、シャッタ地板１とアーム１９の間に、ねじりコイルばね２３が巻回されており、その一方の腕を上記のばね掛け部１ｎの鍔部に掛け、他方の腕の先端に設けたフックをアーム１９の側縁に掛けることによって、アーム１９を反時計方向へ回転させるように付勢している。更に、ねじりコイルばね２３の他方の腕は、図２に破線で示したように、所定の部位からシャッタ地板１側へ所定の角度だけ曲げて製作されているため、アーム１９にフックを掛けた状態では、アーム１９をシャッタ地板１側へも付勢している。
【００２６】
また、羽根２０，２１，２２は、各々アーム１８，１９の両方に対して、合計６個の連結軸を用い、先端に向けて順に枢支されており、最先端に枢支された羽根２２をスリット形成羽根としている。尚、アーム１８，１９に対する羽根２０，２１，２２の枢支構成は周知であって、アーム１８，１９に形成された孔と羽根２０，２１，２２に形成された孔とを重ねておき、それらの孔に、リベット部品であって一端に頭部を有した連結軸をアーム１８，１９側から挿入し、その先端をかしめ加工によって羽根２０，２１，２２に固定し、アーム１８，１９に対して羽根２０，２１，２２を回転可能にしている。そして、本実施例の場合には、羽根２０，２１，２２がアーム１８，１９よりも被写体側に配置されているから、それらの連結軸の頭部は、アーム１８，１９から撮像装置側に突き出ていることになる。
【００２７】
他方、シャッタ地板１と中間板４との間に構成された羽根室には、二つのアーム２４，２５と、３枚の羽根２６，２７，２８とで構成された後羽根が配置されている。そして、それらのうち、アーム２４，２５は、それらの長手方向の一端を、上記の軸１ｈ，１ｋに回転可能に取り付けられており、アーム２４に形成された孔には、上記の駆動ピン１６ｂの先端部が嵌合している。また、軸１ｋには、シャッタ地板１とアーム２５の間に、ねじりコイルばね２９が巻回されており、その一方の腕を上記のばね掛け部１ｐの鍔部に掛け、他方の腕の先端に設けたフックをアーム２５の孔２５ａに掛けることによって、アーム２５を反時計方向へ回転させるように付勢している。
【００２８】
また、羽根２６，２７，２８は、各々アーム２４，２５の両方に対して、合計６個の連結軸を用い、先端に向けて順に枢支されており、最先端に枢支された羽根２８をスリット形成羽根としているが、各枢支部の構成は、先羽根の場合と同じである。そして、本実施例の場合には、羽根２６，２７，２８がアーム２４，２５よりも撮像装置側に配置されているから、それらの連結軸の頭部は、アーム２４，２５から被写体側に突き出ていることになる。
【００２９】
尚、ねじりコイルばね２９には、上記のねじりコイルばね２３のように、フックを有している腕に、アーム２５を補助地板５側へ付勢するための曲げを形成していないが、上記したように、カメラによっては、補助地板５を被写体側にし、シャッタ地板１を撮像装置側にして配置することもあるので、そのような場合にも対応できるようにするためには、ねじりコイルばね２９にも、フックを有している腕に、アーム２５を補助地板５側へ付勢するための曲げを形成しておくことが好ましい。そして、そのように構成したものも、本発明の実施態様である。また、本実施例の場合、アーム１８とアーム２４、及びアーム１９とアーム２５は、共通部品となっている。そのため、アーム１９にも、アーム２５の孔２５ａと同様な符号を付けていない孔が形成されているが、ねじりコイルばね２３のフックは、その孔には掛けられていない。その理由は、その孔に掛けると、ばね掛け部１ｎ，１ｐの位置関係から、ねじりコイルばね２３，２９の回転方向への付勢力がアンバランスになるからである。従って、そのような配慮を必要としない場合には、その孔に掛けても構わない。
【００３０】
次に、本実施例の作動を説明する。周知のように、デジタルカメラ用のフォーカルプレンシャッタの場合には、本実施例のように、先羽根と後羽根という二つのシャッタ羽根を備えていても、シャッタ羽根を一つだけしか備えていなくても、シャッタ羽根は、二つのシーケンスのいずれかで作動させられる。その一つは、シャッタ羽根が露光開口を閉鎖している状態を撮影待機状態とした、ノーマリークローズ方式といわれているものであり、この場合には、カメラに光学ファインダを備えていることが必要になる。また、もう一つは、シャッタ羽根が露光開口を全開にしている状態を撮影待機状態をとした、ノーマリーオープン方式といわれているものであり、この場合には、液晶などを用いた表示装置を電子ファインダとして活用することが可能になる。本実施例の二つのシャッタ羽根は、それらのうちのノーマリークローズ方式で作動させられる。
【００３１】
図１は、先羽根と後羽根が、露光作動を終了し、撮像情報が、固体撮像素子９ａから記憶装置に転送された直後の状態を示したものである。そのため、この状態から、初期位置にあるセット部材１７が、その被押動部１７ｃを、図示していないカメラ本体側の部材に押され、図示していないばねの付勢力に抗して反時計方向へ回転させられることにより、セット作動が開始する。そのようにして、セット作動が開始すると、セット部材１７は、先ず、押動部１７ａによって、先羽根用駆動部材１２の被押動部１２ａを押し始める。それにより、先羽根用駆動部材１２は、先羽根駆動ばね１３の付勢力に抗して時計方向へ回転させられ、その駆動ピン１２ｂによって先羽根のアーム１８を時計方向へ回転させ始める。そのため、露光開口の下方位置に重畳され、格納されていた先羽根の３枚の羽根２０，２１，２２は、隣接する羽根同士の重なり量を小さくしつつ上方へ作動していく。
【００３２】
その後、先羽根のスリット形成羽根２２が後羽根のスリット形成羽根２８に所定量だけ重なると、セット部材１７の押動部１７ｂが、後羽根用駆動部材１６の被押動部１６ａを押し始める。それにより、後羽根用駆動部材１６は、図示していない後羽根駆動ばねの付勢力に抗して時計方向へ回転させられ、その駆動ピン１６ｂによって後羽根のアーム２４を時計方向へ回転させ始める。そのため、展開状態にさせられて露光開口を覆っていた後羽根の３枚の羽根２６，２７，２８は、隣接する羽根同士の重なり量を大きくしつつ上方へ作動していく。従って、その後は、先羽根の３枚の羽根２０，２１，２２と後羽根の３枚の羽根２６，２７，２８は、それらのスリット形成羽根２２，２８の一部を重ねたまま、共に上方へ作動してゆく。
【００３３】
このように、先羽根と後羽根が作動して行き、先羽根の３枚の羽根２０，２１，２２だけで露光開口を覆うようになると、先羽根用駆動部材１２の取付部１２ｃに取り付けられている鉄片部材１４が、図示していない先羽根用電磁石の鉄芯部材に接触し、後根用駆動部材１６の取付部１６ｃに取り付けられている図示していない鉄片部材が、図示していない後羽根用電磁石の鉄芯部材に接触するようになる。そして、その段階になると、図示していないカメラ本体側の部材によるセット部材１７の回転が停止し、先羽根用駆動部材１２と後根用駆動部材１６の回転も停止する。その状態が、図３に示されたセット状態であり、次の撮影の待機状態である。
【００３４】
次の撮影に際して、撮影者が、光学ファインダを覗きながらレリーズボタンを押すと、先ず、図示していない先羽根用電磁石と後羽根用電磁石のコイルに通電され、先羽根用駆動部材１２に取り付けられた鉄片部材１４と、後根用駆動部材１６に取り付けられた図示していない鉄片部材とが、各々の電磁石の鉄芯部材に吸着保持される。次に、セット部材１７の被押動部１７ｃに対するカメラ本体側の部材による押圧力が解かれると、セット部材１７は、図示していないばねの付勢力によって初期位置へ復帰する。その後、二つの電磁石のコイルに対する通電が、露光制御回路によって自動的に決められた時間間隔で順に遮断されると、各々の電磁石の鉄芯部材による吸着保持力が失われ、先羽根用駆動部材１２は先羽根用駆動ばね１３の付勢力により、また、後羽根用駆動部材１６は図示していない後羽根用駆動ばねの付勢力によって、共に反時計方向へ回転させられ、それらの駆動ピン１２ｂ，１６ｂによって、アーム１８，２４を反時計方向へ回転させる。そのため、先羽根の３枚の羽根２０，２１，２２と後羽根の３枚の羽根２６，２７，２８は、順に、下方へ作動を開始させられる。
【００３５】
ここで、先羽根のアーム１９に掛けられているねじりコイルばね２３と、後羽根のアーム２５に掛けられているねじりコイルばね２９について述べておく。上記のように、先羽根と後羽根は、各々、二つのアームに複数の連結軸を介して３枚の羽根を枢支している。ところが、このような構成は、シャッタ地板１に対する二つのアームの取付部や、二つのアームに対する３枚の羽根の各枢支部に嵌合公差が設けられているため、露光作動開始位置におけるスリット形成羽根２２，２８の姿勢が不安定になってしまう。そのため、露光作動開始位置におけるアーム１８，２４との相対位置関係を一定にし、スリット形成羽根２２，２８の姿勢を安定化させるために、ねじりコイルばねによってアーム１９，２５を回転方向へ付勢するようにすることは、従来より行われてきた。本実施例のねじりコイルばね２３，２９も、当然そのような機能を有しているため、先羽根と後羽根は、先羽根用駆動部材１２と後羽根用駆動部材１６の回転開始に伴って、好適に露光作動を開始する。
【００３６】
このようにして開始される露光作動において、先羽根の３枚の羽根２０，２１，２２は隣接する羽根同士の重なり量を大きくしつつ、また、後羽根の３枚の羽根２６，２７，２８は隣接する羽根同士の重なり量を小さくしつつ、共に下方へ作動し、両方のスリット形成羽根２２，２８によって形成されたスリットにより、固体撮像素子９ａの撮像面を露光していく。ところが、周知のように、この作動中に、各羽根には、その作動方向とは垂直な方向へ変位させようとする変則的な力も作用する。そのため、その変則的な力が余り大きなものでなくても、各羽根は非常に薄く、しかも開口部１ａ，４ａ，５ａに面して作動することから撓まされてしまう。
【００３７】
そして、先羽根の場合は、アーム１８，１９が羽根２０，２１，２２よりも撮像装置側に配置されていて、スリット形成羽根２２の二つの枢支部が、開口部５ａに面して作動するので、何も対策を講じておかないと、それらの枢支部が撮像装置側に変位させられ、二つの連結軸の頭部によって、ローパスフィルタ９ｂの前面を傷付けてしまうことがある。ところが、本実施例の場合には、アーム１９に掛けているねじりコイルばね２３の腕に、図２に示すような曲げ部が設けられており、アーム１９を中間板４側へ付勢すると共に、間接的に羽根２０，２１，２２をも中間板４側へ付勢しているため、アーム１９のみならずアーム１８も上記のような変位が抑制され、ローパスフィルタ９ｂの前面、即ち撮像装置９の前面を傷付けてしまうことがない。
【００３８】
このようにして、露光作動が行われてゆき、先羽根の３枚の羽根２０，２１，２２が露光開口から完全に退くと、その直後に、先ず駆動ピン１２ｂが緩衝部材２に当接し、次にアーム１８が緩衝部材６，１０に当接し、最後に羽根２０，２１，２２が緩衝部材７に当接して、先羽根用駆動部材１２と先羽根の作動が停止する。そして、さらに、後羽根の３枚の羽根２６，２７，２８が露光開口を完全に覆うと、その直後に、駆動ピン１６ｂが緩衝部材３に当接することによって、後羽根用駆動部材１６と後羽根の作動が停止する。このようにして後羽根の作動が停止すると、撮像情報が撮像装置から記憶装置に転送され、撮影が終了したことになるが、図１はその終了状態を示したものである。従って、その後、上記したセット作動が行われることになる。
【００３９】
尚、本実施例の構成は、二つのシャッタ羽根を、ノーマリーオープン方式で作動させることができないが、本実施例のセット部材１７に代えて、例えば特開２００３−１５１９０号公報に記載されているようなセット部材を採用すれば、ノーマリーオープン方式で作動させることが可能なフォーカルプレンシャッタになることが知られている。また、本実施例は、二つのシャッタ羽根を備えているが、例えば、本実施例から、中間板４と、後羽根用駆動部材１６と、後羽根とを取り除くと、一つのシャッタ羽根を備えたデジタルカメラ用のフォーカルプレンシャッタになる。そして、そのような一つのシャッタ羽根を備えたフォーカルプレンシャッタの場合にも、シャッタ羽根の駆動機構を変えることによって、ノーマリーオープン方式で作動させるようにすることも、ノーマリークローズ方式で作動させるようにすることも可能になることが知られている。本発明は、それらの構成をしたデジタルカメラ用フォーカルプレンシャッタの全てに適用することができるものである。
【図面の簡単な説明】
【００４０】
【図１】撮像装置側から見て、露光作動の終了状態を示した実施例の平面図である。
【図２】実施例の要部だけを、図１の右側から見て示した断面図である。
【図３】撮像装置側から見て、セット状態（撮影待機状態）を示した実施例の平面図である。
【符号の説明】
【００４１】
１                        シャッタ地板
１ａ，４ａ，５ａ          開口部
１ｂ，１ｃ，５ｂ          長孔
１ｄ，１ｅ，１ｆ          係合部
１ｇ，１ｈ，１ｉ，１ｊ，１ｋ，１ｍ  軸
１ｎ，１ｐ，１２ｄ        ばね掛け部
２，３，６，７，１０      緩衝部材
４                        中間板
５                        補助地板
５ｃ                      肉薄部
８                        カメラ本体側の部品
９                        撮像装置
９ａ                      固体撮像素子
９ｂ                      ローパスフィルタ
１１                      支持板
１２                      先羽根用駆動部材
１２ａ，１６ａ，１７ｃ    被押動部
１２ｂ，１６ｂ            駆動ピン
１２ｃ，１６ｃ            取付部
１３                      先羽根用駆動ばね
１４                      鉄片部材
１５                      ラチェット部材
１５ａ                    ラチェット歯
１５ｂ                    スリット
１６                      後羽根用駆動部材
１７                      セット部材
１７ａ，１７ｂ            押動部
１８，１９，２４，２５    アーム
２５ａ                    孔
２０，２１，２２，２６，２７，２８  羽根
２３，２９                ねじりコイルばね
【図１】
2007148001.tif 000003
【図２】
2007148001.tif 000004
【図３】
2007148001.tif 000005